(57)【要約】      （修正有）【課題】折り畳んだマスクの内側に抗菌効果または消臭効果を発揮させることができるマスクケースを提供する。【解決手段】折り畳んだマスクを収納可能なマスクケース１０であって、２枚の全体平面略方形状の本体シート１１、１２が厚さ方向に重ねて配置され、その間に折り畳んだマスクを収納する収納部１３が形成され、収納部には、本体シートの長さ寸法及び幅寸法よりも小さな長さ寸法及び幅寸法に形成された挿入シート１４を配置可能であり、本体シート及び挿入シートは、抗菌消臭加工処理が施された合成樹脂製のシートであり、折り畳んだマスクの内側に挿入シートを挿入した状態で、折り畳んだマスク及び挿入シートを収納部に収納する。【選択図】図１
0003230273.tif 000002
【実用新案登録請求の範囲】
【請求項１】
折り畳んだマスクを収納可能なマスクケースであって、
２枚の全体平面略方形状の本体シートが厚さ方向に重ねて配置され、その間に前記折り畳んだマスクを収納する収納部が形成され、
前記収納部には、前記本体シートの長さ寸法及び幅寸法よりも小さな長さ寸法及び幅寸法に形成された挿入シートを配置可能であり、
前記本体シート及び前記挿入シートは、抗菌消臭加工処理が施された合成樹脂製のシートであり、
前記折り畳んだマスクの内側に前記挿入シートを挿入した状態で、前記折り畳んだマスク及び前記挿入シートを前記収納部に収納することを特徴とするマスクケース。
【請求項２】
前記挿入シートは、前記収納部に対して出し入れ可能であり、
第一の本体シートには、第一の孔部が形成されると共に、前記挿入シートには、第二の孔部が形成され、
前記第一の孔部と前記第二の孔部とに挿通される紐状部材により前記第一の本体シートと前記挿入シートとが連結されていることを特徴とする請求項１記載のマスクケース。
【請求項３】
前記挿入シートは、前記挿入シートの長さ方向の端部に、円弧状の辺部を有することを特徴とする請求項２記載のマスクケース。
【請求項４】
第二の本体シートは、前記第一の本体シートの長さ寸法よりも大きな長さ寸法に形成され、前記第一の本体シートに対する前記第二の本体シートの長さ方向延出部により前記収納部の蓋部が形成され、
前記第一の孔部は、前記蓋部を折り返した際に、前記蓋部と厚さ方向で重なる位置に形成されていることを特徴とする請求項２記載のマスクケース。
【考案の詳細な説明】
【技術分野】
【０００１】
本考案は、マスクケースに係り、特に、折り畳んだマスクを収納可能なマスクケースに関する。
【背景技術】
【０００２】
従来、花粉や埃等の対策として、マスクを着用することがある。
しかしながら、飲食時にはマスクを外す必要があり、マスクを机の上等に置くと、マスクの内側の装着面が露出して不衛生であると共に、マスクが机の上等から落下し、マスクの内側の装着面が汚れる可能性がある。
そこで、マスクを外した際に、一時的にマスクを収納することができると共に、内部に抗菌性を有する紙製の保護シートが配置されたマスクケースがある（例えば、特許文献１）。
【０００３】
しかしながら、このようなマスクケースは、使用済みのマスクを展開状態で収納するように形成されているためサイズが大きく、折り畳んだ状態でマスクを収納することができるマスクケースが望まれている。
また、現在販売、使用されている立体マスクは、折り畳んだ場合にフラットにならないので、従来のマスクケースでは、折り畳んだマスクを収納すると、折り畳んだマスクの内側を抗菌することができない。
【先行技術文献】
【特許文献】
【０００４】
【特許文献１】実用新案登録第３２２２１０３号公報
【考案の概要】
【考案が解決しようとする課題】
【０００５】
そこで、本考案の課題は、折り畳んだマスクの内側に抗菌効果又は消臭効果を発揮させることができるマスクケースを提供することにある。
【課題を解決するための手段】
【０００６】
上記課題達成のため、請求項１記載の考案にあっては、折り畳んだマスクを収納可能なマスクケースであって、２枚の全体平面略方形状の本体シートが厚さ方向に重ねて配置され、その間に前記折り畳んだマスクを収納する収納部が形成され、前記収納部には、前記本体シートの長さ寸法及び幅寸法よりも小さな長さ寸法及び幅寸法に形成された挿入シートを配置可能であり、前記本体シート及び前記挿入シートは、抗菌消臭加工が施された合成樹脂製のシートであり、前記折り畳んだマスクの内側に前記挿入シートを挿入した状態で、前記折り畳んだマスク及び前記挿入シートを前記収納部に収納することを特徴とする。
従って、本考案に係るマスクケースにあっては、折り畳んだマスクの内側に挿入シートを介在させた状態で折り畳んだマスクを収納保管することができる。
【０００７】
請求項２記載の考案にあっては、前記挿入シートは、前記収納部に対して出し入れ可能であり、第一の本体シートには、第一の孔部が形成されると共に、前記挿入シートには、第二の孔部が形成され、前記第一の孔部と前記第二の孔部とに挿通される紐状部材により前記第一の本体シートと前記挿入シートとが連結されていることを特徴とする。
従って、本考案に係るマスクケースにあっては、収納部から挿入シートを取り出すことができ、収納部から挿入シートを取り出した状態でも、紐状部材により、第一の本体シートと挿入シートとが連結されている。
【０００８】
請求項３記載の考案にあっては、前記挿入シートは、前記挿入シートの長さ方向の端部に、円弧状の辺部を有することを特徴とする。
従って、本考案に係るマスクケースにあっては、円弧状の辺部がマスク中央の折り曲げ部にフィットする。
【０００９】
請求項４記載の考案にあっては、第二の本体シートは、前記第一の本体シートの長さ寸法よりも大きな長さ寸法に形成され、前記第一の本体シートに対する前記第二の本体シートの長さ方向延出部により前記収納部の蓋部が形成され、前記第一の孔部は、前記蓋部を折り返した際に、前記蓋部と厚さ方向で重なる位置に形成されていることを特徴とする。
従って、本考案に係るマスクケースにあっては、蓋部を閉めると、第一の孔部が隠れる。  
【考案の効果】
【００１０】
請求項１記載の考案にあっては、折り畳んだマスクを収納可能なマスクケースであって、２枚の全体平面略方形状の本体シートが厚さ方向に重ねて配置され、その間に前記折り畳んだマスクを収納する収納部が形成され、前記収納部には、前記本体シートの長さ寸法及び幅寸法よりも小さな長さ寸法及び幅寸法に形成された挿入シートを配置可能であり、前記本体シート及び前記挿入シートは、抗菌消臭加工処理が施された合成樹脂製のシートであり、前記折り畳んだマスクの内側に前記挿入シートを挿入した状態で、前記折り畳んだマスク及び前記挿入シートを前記収納部に収納することから、折り畳んだマスクの内側に挿入シートを介在させた状態で折り畳んだマスクを収納保管することができるため、従来とは異なり、マスクを展開状態で収納するものではないことから、小型のマスクケースを提供することができると共に、折り畳んだマスクの内側に抗菌効果、消臭効果を効果的に発揮させることができる。
【００１１】
請求項２記載の考案にあっては、前記挿入シートは、前記収納部に対して出し入れ可能であり、第一の本体シートには、第一の孔部が形成されると共に、前記挿入シートには、第二の孔部が形成され、前記第一の孔部と前記第二の孔部とに挿通される紐状部材により前記第一の本体シートと前記挿入シートとが連結されていることから、収納部から挿入シートを取り出すことができ、収納部から挿入シートを取り出した状態でも、紐状部材により、第一の本体シートと挿入シートとが連結されているため、収納部の外部で折り畳んだマスクの内側に挿入シートを挿入可能となり、折り畳んだマスクに対して挿入シートを挿入しやすく、紐状部材による連結により、挿入シートの紛失の恐れがない。
【００１２】
請求項３記載の考案にあっては、前記挿入シートは、前記挿入シートの長さ方向の端部に、円弧状の辺部を有することから、円弧状の辺部がマスク中央の折り曲げ部にフィットするため、折り畳んだ、いわゆる立体型マスクの内側最深部まで挿入シートを挿入することができ、抗菌効果、消臭効果を最大限に発揮することができる。
【００１３】
請求項４記載の考案にあっては、第二の本体シートは、前記第一の本体シートの長さ寸法よりも大きな長さ寸法に形成され、前記第一の本体シートに対する前記第二の本体シートの長さ方向延出部により前記収納部の蓋部が形成され、前記第一の孔部は、前記蓋部を折り返した際に、前記蓋部と厚さ方向で重なる位置に形成されていることから、蓋部を閉めると、第一の孔部が隠れるため、第一の孔部を蓋部で保護することができ、マスクケースの見た目を綺麗にすることができるだけでなく、紐状部材の脱落を防止することができる。
【図面の簡単な説明】
【００１４】
【図１】本考案に係るマスクケースの一実施の形態における平面図である。
【図２】本考案に係るマスクケースの一実施の形態における使用例を示す図であり、折り畳んだマスクに挿入シートを挿入した状態を示している。
【図３】本考案に係るマスクケースの一実施の形態における使用例を示す図であり、収納部に折り畳んだマスク及び挿入シートを収納した状態を示している。
【図４】本考案に係るマスクケースの一実施の形態における使用例を示す図であり、蓋部を閉じた状態を示している。
【図５】本考案に係るマスクケースの一実施の形態における使用例を示す図であり、蓋部を閉じた状態の背面図を示している。
【考案を実施するための形態】
【００１５】
以下、本考案に係る一実施の形態について、図面を参照しながら説明する。
図１及び図２に示すように、本実施の形態に係るマスクケース１０は、折り畳んだマスクＭを収納可能なマスクケース１０であって、２枚の全体平面略方形状の本体シート１１、１２が厚さ方向に重ねて配置され、その間に折り畳んだマスクＭを収納する収納部１３が形成されている。
【００１６】
収納部１３には、本体シート１１、１２の長さ寸法及び幅寸法よりも小さな長さ寸法及び幅寸法に形成された挿入シート１４を配置可能である。挿入シート１４は、長さ方向の両端部が円弧状となっており、幅方向の両端部が直線状となっている。なお、長さ方向とは、図１中の上下方向であり、幅方向とは図１中の左右方向である。また、長さ寸法とは、図１中上下方向の寸法であり、幅寸法とは、図１中左右方向の寸法である。
【００１７】
本体シート１１、１２及び挿入シート１４は、抗菌消臭処理が施された合成樹脂製のシートである。本体シート１１、１２及び挿入シート１４は、透明に形成されている。本実施の形態にあっては、本体シート１１、１２には抗菌剤及び消臭剤が練り込まれて形成されている。
【００１８】
本実施の形態に係るマスクケース１０では、折り畳んだマスクＭの内側（内側面部）に挿入シート１４を挿入した状態で、折り畳んだマスクＭ及び挿入シート１４を収納部１３に収納する。
【００１９】
従って、本実施の形態に係るマスクケース１０にあっては、折り畳んだマスクＭの内側に挿入シート１４を介在させた状態で折り畳んだマスクＭを収納保管することができる。
【００２０】
挿入シート１４は、収納部１３に対して出し入れ可能である。第一の本体シート１１には、第一の孔部１５が形成されると共に、挿入シート１４には、第二の孔部１６が形成されている。第一の孔部１５と第二の孔部１６とに挿通される紐状部材１７により第一の本体シート１１と挿入シート１４とが連結されている。第一の孔部１５及び第二の孔部１６は円形の孔であり、紐状部材１７はボールチェーンである。
【００２１】
従って、本実施の形態に係るマスクケース１０にあっては、収納部１３から挿入シート１４を取り出すことができ、収納部１３から挿入シート１４を取り出した状態でも、紐状部材１７により、第一の本体シート１１と挿入シート１４とが連結されている。
【００２２】
挿入シート１４は、挿入シート１４の長さ方向の端部（図１では挿入シート１４の下端部）に、円弧状の辺部１４ａを有する。従って、本実施の形態に係るマスクケース１０にあっては、円弧状の辺部１４ａがマスクＭの中央の折り曲げ部Ｍｃにフィットする。
【００２３】
第二の本体シート１２は、第一の本体シート１１の長さ寸法よりも大きな長さ寸法に形成され、第一の本体シート１１に対する第二の本体シート１２の長さ方向延出部１８により収納部１３の蓋部１９が形成されている。
第一の孔部１５は、蓋部１９を折り返した際に、蓋部１９と厚さ方向で重なる位置に形成されている。従って、本実施の形態に係るマスクケース１０にあっては、蓋部１９を閉めると、第一の孔部１５が隠れる。
【００２４】
第一の孔部１５は、第一の本体シート１１の幅方向中間部から第一の本体シート１１の幅方向の一方の辺部（第一の本体シート１１の右辺部）に寄せた位置及び収納部１３の長さ方向中間部から収納部１３の開口部２０に寄せた位置に形成されると共に、第二の孔部１６は、挿入シート１４の幅方向中間部から挿入シート１４の幅方向の一方の辺部（挿入シート１４の左辺部）に寄せた位置及び挿入シート１４の長さ方向中間部から挿入シート１４の長さ方向の一方の辺部（挿入シート１４の上辺部）に寄せた位置に形成されている。第一の本体シート１１と第二の本体シート１２とは、開口部２０を除いた周縁部において結合されている。
従って、本実施の形態に係るマスクケース１０にあっては、第一の孔部１５及び第二の孔部１６が夫々第一の本体シート１１及び挿入シート１４の端部に形成されることになり、紐状部材１７の引っ掛かりを回避して、収納部１３に挿入シート１４を収納しやすくなる。
【００２５】
第一の本体シート１１の上端部及び蓋部１９の上端部には、係止具としてのホック２１が形成されており、第一の本体シート１１に蓋部１９を固定できるように構成されている。
【００２６】
次に、マスクケース１０の使用方法について説明する。
まず、図１に示すように、マスクケース１０を用意する。
ついで、図２に示すように、折り畳んだマスクＭの内側に挿入シート１４を挿入する。
さらに、図３に示すように、収納部１３に、折り畳んだマスクＭ及び挿入シート１４を収納する。本実施の形態にあっては、マスクＭはいわゆる立体型マスクである。
そして、図４に示すように、蓋部１９を表側に折り返してホック２１を閉じることにより、開口部２０を閉じた状態にすることができる。
なお、図５に示すように、マスクケース１０を裏返しても、収納部１３に収納した折り畳んだマスクＭを確認することができる。
【００２７】
以上説明したように、本実施の形態に係るマスクケース１０にあっては、折り畳んだマスクＭの内側に挿入シート１４を介在させた状態で折り畳んだマスクＭを収納保管することができるため、折り畳んだマスクＭの内側に抗菌効果、消臭効果を発揮させることができる。
すなわち、本実施の形態に係るマスクケース１０にあっては、折り畳んだマスクＭを収納することができることから、従来とは異なり、展開状態のマスクを収納するものではないため、全体として従来よりも小型のマスクケースを提供することができ、使用者は所持、搬送しやすい、という効果を奏する。
また、マスクＭにおいて最も不潔になりやすいマスク内側面部に挿入シート１４を介在させ、マスクＭを折り畳んだ状態で収納保管することができるので、一定時間収納した場合には、マスクＭの折り畳んだ状態の一対の折り畳み片の、内方への圧力も相まって、抗菌効果、消臭効果の発揮によって菌を不活性化しつつ臭いを消すことができ、次回のマスクの使用時には、清潔な状態で再度マスクを使用することができる。
しかも、本実施の形態に係るマスクケース１０にあっては、本体シート１１、１２の内側面部にも、抗菌機能、消臭機能の効果があることから、収納されたマスクに対しては、内側面部及び外側面部の双方に対して抗菌、消臭の作用が発揮される。
【００２８】
また、本実施の形態に係るマスクケース１０にあっては、収納部１３から挿入シート１４を取り出すことができ、収納部１３から挿入シート１４を取り出した状態でも、紐状部材１７により、第一の本体シート１１と挿入シート１４とが連結されているため、収納部１３の外部で折り畳んだマスクＭの内側に挿入シート１４を挿入可能となり、折り畳んだマスクＭに対して挿入シート１４を挿入しやすく、紐状部材１７による連結により、挿入シート１４の紛失の恐れがない。
【００２９】
さらに、本実施の形態に係るマスクケース１０にあっては、円弧状の辺部１４ａがいわゆる立体型マスク中央の、円弧状の折り曲げ部Ｍｃにフィットするため、折り畳んだマスクＭの内側最深部まで挿入シート１４を挿入することができ、抗菌効果、消臭効果を最大限に発揮することができる。
【００３０】
さらにまた、本実施の形態に係るマスクケース１０にあっては、蓋部１９を閉めると、第一の孔部１５が隠れるため、第一の孔部１５を蓋部１９で保護することができ、マスクケース１０の見た目を綺麗にすることができるだけでなく、紐状部材１７の脱落を防止することができる。
【００３１】
その上、本実施の形態に係るマスクケース１０にあっては、第一の孔部１５及び第二の孔部１６が夫々第一の本体シート１１及び挿入シート１４の端部に形成されることになり、紐状部材１７の引っ掛かりを回避して、収納部１３に挿入シート１４を収納しやすくなるため、使い勝手のよいマスクケース１０を提供することができる。
【００３２】
上述した実施の形態にあっては、挿入シート１４は、紐状部材１７によって第一の本体シート１１に連結する例で説明したが、紐状部材１７によって第一の本体シート１１に連結せずに、付属品としてもよい。紐状部材１７は、ボールチェーンの例で説明したが、糸やゴム等であってもよい。本体シート１１、１２及び挿入シート１４は、透明に形成されている例で説明したが、一部又は全部のシートが半透明に形成されていてもよく、一部又は全部のシートが不透明に形成されていてもよい。本体シート１１、１２及び挿入シート１４に対しては、何らかの抗菌消臭加工が施されていればよく、抗菌剤及び消臭剤を練り込んで形成されていなくてもよい。マスクケース１０、３０やこれを構成する各部材の形状は、あくまで例示であり、上述した実施の形態に限定されるものではない。
【産業上の利用可能性】
【００３３】
本考案はマスクケースに係ることから、広く産業上の利用可能性を有している。
【符号の説明】
【００３４】
１０  マスクケース
１１  第一の本体シート
１２  第二の本体シート
１３  収納部
１４  挿入シート
１４ａ  辺部
１５  孔部
１６  孔部
１７  紐状部材
１８  長さ方向延出部
１９  蓋部
２０  開口部
２１  ホック
３０  マスクケース
【図１】
0003230273.tif 000003
【図２】
0003230273.tif 000004
【図３】
0003230273.tif 000005
【図４】
0003230273.tif 000006
【図５】
0003230273.tif 000007